(57)【要約】    【課題】      近接した波長間の光信号に対するアイソレーション量が高く、かつ、受光素子への光結合効率及び受光素子の高周波特性を向上させること。    【解決手段】  本発明の波長分割多重光モジュール１００は、第１及び第２の光ファイバ１０３、１０４と、第１及び第２の光ファイバ１０３、１０４の第１の端面１０３１と第２の端面１０４１の間に挟持されている波長分割多重フィルタ１０５と、を具備している。第１の光ファイバ１０３の第１の端面１０３１が第１の光ファイバ１０３の光軸に対し６７．５度から７２．５度までの範囲内の角度を有するように形成され、第２の光ファイバ１０４の第２の端面１０４１が第１の端面１０３１と平行になるように配置されている。  【選択図】      図１
2005165117.tif 000002
【特許請求の範囲】
【請求項１】
光導波路と前記光導波路の端面に配置されている波長分割多重フィルタとを具備し、前記光導波路は前記端面が前記光導波路の光軸に対し６７．５度から７２．５度までの範囲内の角度を有するように形成されている波長分割多重光モジュール。
【請求項２】
第１及び第２の光導波路と、前記第１及び第２の光導波路の第１の端面と第２の端面の間に挟持されている波長分割多重フィルタと、を具備し、前記第１の光導波路は前記第１の端面が前記第１の光導波路の光軸に対し６７．５度から７２．５度までの範囲内の角度を有するように形成され、前記第２の光導波路は前記第２の端面が前記第１の端面と平行になるように配置されている波長分割多重光モジュール。
【請求項３】
前記第１及び第２の光導波路は第１及び第２の光ファイバで構成され、前記第１及び第２の光ファイバを保持する第１及び第２のフェルールを有し、前記波長分割多重フィルタは前記第１及び第２のフェルールの第１の端面と第２の端面の間に挟持されている請求項２に記載の波長分割多重光モジュール。
【請求項４】
前記第１及び第２のフェルールは、前記波長分割多重フィルタからの反射光信号が通過する主空間を規定している第１の内周面と第２の内周面を有し、前記主空間に配置されている受光素子又は発光素子の１つを有する請求項２又は請求項３に記載の波長分割多重光モジュール。
【請求項５】
前記第１及び第２のフェルールの接合部分に形成されている第１の微小レンズと、前記受光素子又は前記発光素子の上に形成されている第２の微小レンズとの少なくとも１つを有する請求項４に記載の波長分割多重光モジュール。
【発明の詳細な説明】
【技術分野】
【０００１】
本発明は、光信号を分割又は多重して送受信する波長分割多重光モジュールに関するものである。
【背景技術】
【０００２】
近年インターネットの普及に伴い、加入者系において、データ伝送量の多い光ファイバによる光通信サービスが注目されてきている。加入者系光通信サービスでは、各加入者宅の光終端装置に１本の光ファイバを接続し、波長の異なる下り光信号と上り光信号を送受信する１芯波長分割多重システムが多く用いられている。
【０００３】
加入者系光通信サービスにおいては、各加入者宅に設置する光終端装置に対し、小型化と低価格化が求められる。そのため、光終端装置に用いる光モジュールの小型化と低価格化が必須である。
【０００４】
従来の波長分割多重光モジュールとして、特許文献１に記載されたものがある。特許文献１に記載された波長分割多重光モジュールは、１芯波長分割多重システムの光終端装置に用いられるものである。この従来の波長分割多重光モジュールは、光ファイバを保持する第１のフェルールの端面の角度が光ファイバの光軸に対し６０度程度になるよう形成され、前記第１のフェルールの端面と当該端面と対向する第２のフェルールの端面との間に波長分割多重用の光フィルタが挟持されて固定されるようにしている。
【０００５】
この従来の波長分割多重光モジュールにおいては、光ファイバを伝搬してきた光のうちの特定の波長の光は、光フィルタにおいて選択的に反射され受光素子へ入射する。一方、光ファイバを伝搬してきた光のうちの反射波長域外の光は、光フィルタを透過し対向するフェルールに保持された光ファイバ内を伝搬する。これにより、入射してきた光は、異なる波長の光信号に分離される。
【特許文献１】特開２００３−２１５４０４号公報
【発明の開示】
【発明が解決しようとする課題】
【０００６】
しかし、従来の波長分割多重光モジュールにおいては、データ系下り光信号とデータ系上り信号に加えて地上波アナログテレビ信号又はケーブルテレビ信号をデータ系光信号と異なる波長の映像系光信号で配信する３波長分割多重映像配信システムに適用する場合、データ系下り光信号の波長の上端が１５００ｎｍであるのに対し、映像系光信号の波長の下端が１５５０ｎｍと近接しているため、光フィルタへの光入射角度が大きい上記従来技術では光信号の分離が困難であるという問題がある。
【０００７】
また、従来の波長分割多重光モジュールにおいては、近接した波長間の光信号の分離度、すなわちアイソレーション量を確保するため、例えば２枚の光フィルタを重ね合わせた場合、フェルールの端面間の距離が増大するため光フィルタの透過帯域の光に対する損失が急激に増加するという問題がある。
【０００８】
また、従来の波長分割多重光モジュールにおいては、アイソレーション量を確保するため、フェルールの端面の角度を著しく小さくすると、光ファイバを出射し光フィルタで選択的に反射した光の空間的な拡がりが増大し、受光素子における照射径が受光素子の受光部より大きくなるので、受光素子に対する光結合効率及び受光素子の高周波特性が低下するという問題がある。
【０００９】
本発明は、かかる点に鑑みてなされたものであり、近接した波長間の光信号に対するアイソレーション量が高く、かつ、受光素子への光結合効率及び受光素子の高周波特性を向上させることができる小型で低価格の波長分割多重光モジュールを提供することを目的とする。
【課題を解決するための手段】
【００１０】
請求項１に記載の波長分割多重光モジュールは、光導波路と前記光導波路の端面に配置されている波長分割多重フィルタとを具備し、前記光導波路は前記端面が前記光導波路の光軸に対し６７．５度から７２．５度までの範囲内の角度を有するように形成されている構成を採る。
【００１１】
この構成によれば、近接した波長間の光信号に対するアイソレーション量が高く、かつ、受光素子への光結合効率及び受光素子の高周波特性を向上させることができる小型で低価格の波長分割多重光モジュールを実現している。
【００１２】
請求項２に記載の波長分割多重光モジュールは、第１及び第２の光導波路と、前記第１及び第２の光導波路の第１の端面と第２の端面の間に挟持されている波長分割多重フィルタと、を具備し、前記第１の光導波路が前記第１の端面が前記第１の光導波路の光軸に対し６７．５度から７２．５度までの範囲内の角度を有するように形成され、前記第２の光導波路が前記第２の端面が前記第１の端面と平行になるように配置されている構成を採る。
【００１３】
この構成によれば、近接した波長間の光信号に対するアイソレーション量が高く、かつ、受光素子への光結合効率及び受光素子の高周波特性を向上させることができる小型で低価格の波長分割多重光モジュールを実現している。
【００１４】
請求項３に記載の波長分割多重光モジュールは、請求項２に記載の発明において、前記第１及び第２の光導波路が第１及び第２の光ファイバで構成され、前記第１及び第２の光ファイバを保持する第１及び第２のフェルールを有し、前記波長分割多重フィルタが前記第１及び第２のフェルールの第１の端面と第２の端面の間に挟持されている構成を採る。
【００１５】
この構成によれば、請求項２に記載の発明の効果に加えて、第１及び第２のフェルールにより波長分割多重フィルタを確実に保持することができる。
【００１６】
請求項４に記載の波長分割多重光モジュールは、請求項２又は請求項３に記載の発明において、前記第１及び第２のフェルールが、前記波長分割多重フィルタからの反射光信号が通過する主空間を規定している第１の内周面と第２の内周面を有し、前記主空間に配置されている受光素子又は発光素子の１つを有する構成を採る。
【００１７】
この構成によれば、近接した波長間の光信号に対するアイソレーション量が高く、かつ、受光素子への光結合効率及び受光素子の高周波特性又は発光素子との光結合効率を向上させることができる小型で低価格の波長分割多重光モジュールを実現している。
【００１８】
請求項５に記載の波長分割多重光モジュールは、請求項４に記載の発明において、前記第１及び第２のフェルールの接合部分に形成されている第１の微小レンズと、前記受光素子又は発光素子の上に形成されている第２の微小レンズとの少なくとも１つを有する構成を採る。
【００１９】
この構成によれば、請求項４に記載の発明の効果に加えて、受光素子への光結合効率及び受光素子の高周波特性又は発光素子との光結合効率をより向上させることができる。
【発明の効果】
【００２０】
以上のように、本発明によれば、近接した波長間の光信号に対するアイソレーション量が高く、かつ、受光素子への光結合効率及び受光素子の高周波特性又は発光素子との光結合効率を向上させることができる小型で低価格の波長分割多重光モジュールを実現することができる。
【発明を実施するための最良の形態】
【００２１】
本発明の骨子は、光導波路と前記光導波路の端面に配置されている波長分割多重フィルタとを具備し、前記光導波路は前記端面が前記光導波路の光軸に対し６７．５度から７２．５度までの範囲内の角度を有するように形成されていることである。
【００２２】
（実施の形態１）
本発明の実施の形態１について、図面を参照して詳細に説明する。図１は、本発明の実施の形態１に係る波長分割多重光モジュールを示す断面図である。
【００２３】
図１に示すように、本発明の実施の形態１に係る波長分割多重光モジュール１００は、第１のフェルール１０１、第２のフェルール１０２、第１の光ファイバ（光導波路）１０３、第２の光ファイバ１０４、波長分割多重フィルタ１０５、受光素子用基板１０６、受光素子１０７及び光透過性の光学接着材１０８を具備している。
【００２４】
第１のフェルール１０１には、第１の保持内周面１０１１及び第１の内周面１０１２が形成されている。また、第２のフェルール１０２には、第２の保持内周面１０２１及び第２の内周面１０２２が形成されている。第１の保持内周面１０１１及び第２の保持内周面１０２１は、第１の光ファイバ１０３及び第２の光ファイバ１０４を挿入するための第１の保持穴及び第２の保持穴を規定している。第１の光ファイバ１０３及び第２の光ファイバ１０４は、第１の保持穴及び第２の保持穴に挿入されて第１のフェルール１０１及び第２のフェルール１０２の第１の保持内周面１０１１及び第２の保持内周面１０２１に保持されている。
【００２５】
第２の内周面１０２２は、第１の内周面１０１２と対向するように配置されている。第１の内周面１０１２と第２の内周面１０２２は、前記第１の保持穴及び第２の保持穴と連通する主空間を規定している。
【００２６】
第１のフェルール１０１及び第２のフェルール１０２の下には、受光素子用基板１０６が配設されている。受光素子１０７は、第１のフェルール１０１及び第２のフェルール１０２の前記主空間に位置するように受光素子用基板１０６の中央部の上に固定されている。受光素子用基板１０６及び受光素子１０７と第１のフェルール１０１及び第２のフェルール１０２との間の前記主空間には、光学接着材１０８が配設されている。
【００２７】
第１の光ファイバ１０３は、第１の端面１０３１が第１の光ファイバ１０３の光軸に対し６７．５度から７２．５度までの範囲内の角度φを有するように形成されている。第２の光ファイバ１０４は、第２の端面１０４１が第１の光ファイバ１０３の第１の端面１０３１と平行になるように配置されている。
【００２８】
第１のフェルール１０１は、第１の端面１０１３が第１の光ファイバ１０３の光軸に対し６７．５度から７２．５度までの範囲内の角度φを有するように形成されている。第２のフェルール１０２は、第２の端面１０２３が第１のフェルール１０１の第１の端面１０１３と平行になるように配置されている。
【００２９】
波長分割多重フィルタ１０５は、第１の光ファイバ１０３の第１の端面１０３１と第２の光ファイバ１０４の第２の端面１０４１との間に挟持され、かつ、第１のフェルール１０１の第１の端面１０１３と第２のフェルール１０２の第２の端面１０２３との間に挟持されている。第１のフェルール１０１の第１の端面１０１３及び第２のフェルール１０２の第２の端面１０２３と波長分割多重フィルタ１０５とは、光学接着材によって接着されている。したがって、波長分割多重フィルタ１０５は、第１のフェルール１０１の第１の端面１０１３と第２のフェルール１０２の第２の端面１０２３との間に保持されている。
【００３０】
波長分割多重フィルタ１０５は、例えば、波長が１２６０ｎｍ〜１３６０ｎｍの光信号及び波長が１４８０ｎｍ〜１５００ｎｍの光信号を透過し、かつ、波長が１５５０ｎｍ〜１５６０ｎｍの光信号を反射する誘電体多層膜からなる厚さが２０μm〜４０μmの薄膜フィルタで構成されている。
【００３１】
受光素子１０７は、ＩｎＰ基板を用いて作製した裏面入射型の受光素子であり、例えば、厚さが１５０μm〜３００μmであり、かつ、受光径が３５μm〜５０μmであるもので構成されている。
【００３２】
受光素子用基板１０６と第１のフェルール１０１及び第２のフェルール１０２との間には、光透過性の光学接着材１０８が充填され、受光素子用基板１０６と第１のフェルール１０１及び第２のフェルール１０２とは光学接着材１０８により一体化される。
【００３３】
次に、本発明の実施１に係る波長分割多重光モジュール１００の作用について、図面を参照して説明する。
【００３４】
第１の光ファイバ１０３を伝搬してくる波長が１５５０ｎｍ〜１５６０ｎｍの映像系光信号は波長分割多重フィルタ１０５で反射され、光透過性の光学接着材１０８を伝搬し、受光素子１０７へ入射する。
【００３５】
一方、第１の光ファイバ１０３を伝搬してくる波長が１４８０ｎｍ〜１５００ｎｍのデータ系下り光信号は、波長分割多重フィルタ１０５を透過し、対向する第２の光ファイバ１０４を伝搬して行く。また、第２の光ファイバ１０４内を伝搬してくる波長が１２６０ｎｍ〜１３６０ｎｍのデータ系上り光信号は、波長分割多重フィルタ１０５を透過し、対向する第１の光ファイバ１０３を伝搬して行く。
【００３６】
波長分割多重フィルタ１０５を反射した光信号は、ガウシアンビームとして伝搬し、第１の光ファイバ１０３のクラッドと光透過性の光学接着材１０８との界面及び光学接着材１０８と受光素子１０７の界面で屈折しながら受光素子１０７の受光部に到達する。光信号の受光素子１０７の受光部に対する照射パターンは、第１及び第２の光ファイバ１０３、１０４の光軸方向を長軸とする楕円形状となる。
【００３７】
ここで、第１の光ファイバ１０３の光軸に対する第１の光ファイバ１０３の第１の端面１０３１の角度φと受光素子１０７の受光部における照射径との関係が図２に示されている。図２は、第１の光ファイバ１０３のコア径を９μmとし、第１の光ファイバ１０３のクラッドの屈折率を１．４６とし、第１の光ファイバ１０３のクラッド径を１２５μmとし、光透過性の光学接着材１０８の屈折率を１．５５とし、光学接着材１０８の厚さを５０μmとし、受光素子１０７の屈折率を３．２とし、第１及び第２の光ファイバ１０３、１０４から受光素子１０７の受光部までの厚さを１５０μm（実線）又は３００μm（破線）として計算した場合における例を示している。
【００３８】
図２において、受光素子１０７の受光部における照射パターンの短軸方向の径を丸印で示し、前記照射パターンの長軸方向の径を三角印で示している。
【００３９】
図２に示すように、受光素子１０７の受光部における受光径が５０μmであり、第１及び第２の光ファイバ１０３、１０４から前記受光部までの厚さが３００μmの受光素子１０７の場合には、第１の光ファイバ１０３の光軸に対する第１の光ファイバ１０３の第１の端面１０３１の角度φが７２．５度以下であれば、照射径が受光径内に収まる。同様に、受光径が３５μmであり、第１及び第２の光ファイバ１０３、１０４から前記受光部までの厚さが１５０μmの受光素子１０７の場合には、第１の光ファイバ１０３の光軸に対する第１の光ファイバ１０３の第１の端面の角度φが６７．５度以上であれば、照射径が受光径内に収まって、受光素子１０７への光結合効率及び受光素子１０７の高周波特性が確保される。
【００４０】
一方、異なる波長間の光信号に対する波長分割多重フィルタ１０５のアイソレーション特性は、波長分割多重フィルタ１０５の光入射角が小さいほど偏波依存性が減少するため改善され、また、誘電体多層膜の各膜厚に対する誤差許容量が緩やかになるため波長分割多重フィルタ１０５の作製も容易になる。したがって、波長分割多重フィルタ１０５への光入射角が小さい、すなわち、第１の光ファイバ１０３の第１の端面１０３１及び第２の光ファイバ１０４の第２の端面１０４１の角度φが大きいほど望ましい。
【００４１】
したがって、受光素子１０７への光結合効率及び高周波特性と波長分割多重フィルタ１０５のアイソレーション特性とは、第１の光ファイバ１０３の光軸に対する第１の光ファイバ１０３の第１の端面１０３１の角度φに対しトレードオフの関係となる。図２および図３に示すように、角度φが６７．５度から７２．５度までの範囲内の値である場合が、受光素子１０７への光結合効率及び受光素子１０７の高周波特性と波長分割多重フィルタ１０５のアイソレーション特性との観点より、好適である。この場合に、波長分割多重フィルタ１０５の透過光における波長１５００ｎｍの光に対する波長１５５０ｎｍの光の透過アイソレーション量は、図３の曲線Ａで示すように、３０ｄＢ以上を確保でき、また、波長分割多重フィルタ１０５の反射光における波長１５５０ｎｍの光に対する波長１５００ｎｍの光の反射アイソレーション量は、図３の曲線Ｂで示すように、１５ｄＢ以上を確保できる。
【００４２】
なお、図２及び図３に示すように、角度φが６９度から７１度までの範囲である場合に、受光素子１０７への光結合効率及び受光素子１０７の高周波特性と波長分割多重フィルタ１０５のアイソレーション特性とのバランスが最も良い。したがって、角度φの最適範囲は、６９度から７１度までの範囲である。
【００４３】
このように、本発明の実施の形態１においては、近接した波長間の光信号に対するアイソレーション量が高く、かつ、受光素子への光結合効率及び受光素子の高周波特性を向上させることができる小型で低価格の波長分割多重光モジュールを実現している。
【００４４】
（実施の形態２）
次に、本発明の実施の形態２について、図４を参照して説明する。図４は、本発明の実施の形態２に係る波長分割多重光モジュールを示す断面図である。本発明の実施の形態２においては、本発明の実施の形態１と同じ構成要素には同じ参照符号が付され、その説明が省略される。
【００４５】
図４に示すように、本発明の実施の形態２に係る波長分割多重光モジュール４００は、本発明の実施の形態１において、第１の微小レンズ４０１及び第２の微小レンズ４０２を追加してなる。
【００４６】
すなわち、本発明の実施の形態２に係る波長分割多重光モジュール４００は、第１のフェルール１０１、第２のフェルール１０２、第１の光ファイバ（光導波路）１０３、第２の光ファイバ１０４、波長分割多重フィルタ１０５、受光素子用基板１０６、受光素子１０７、光透過性の光学接着材１０８、第１の微小レンズ４０１及び第２の微小レンズ４０２を具備している。
【００４７】
第１の微小レンズ４０１は、第１の端面１０３１と第２の端面１０４１の接合部分に形成されている。第２の微小レンズ４０２は、受光素子１０７の上に形成されている。
【００４８】
第１の微小レンズ４０１は、例えば、高粘度の紫外線硬化型光学接着材を第１の内周面１０１２と第２の内周面１０２２の接合部分に滴下し、表面張力により半球状になった状態で紫外線を照射し、硬化させることにより形成される。
【００４９】
同様に、第２の微小レンズ４０２は、例えば、高粘度の紫外線硬化型光学接着材を受光素子１０７の上に滴下し、表面張力により半球状になった状態で紫外線を照射し、硬化させることにより形成される。
【００５０】
第１の微小レンズ４０１及び第２の微小レンズ４０２を形成する材料は、球面レンズの効果を生じさせるため、その屈折率が透過性の光学接着材１０８の屈折率より高いものを用いる。
【００５１】
次に、本発明の実施の形態１と異なる本発明の実施の形態２の作用について、図４を参照して詳細に説明する。
【００５２】
波長分割多重フィルタ１０５を反射した光信号は、第１の微小レンズ４０１によりコリメート作用を受けて光透過性の光学接着材１０８の中を伝搬し、さらに、第２の微小レンズ４０２により集光作用を受けて受光素子１０７に入射する。第１の微小レンズ４０１及び第２の微小レンズ４０２によるコリメート作用と集光作用により、第１の内周面１０１２と受光素子１０７との間隔が第１及び第２のフェルール１０１、１０２の半径より大きくとも、波長分割多重フィルタ１０５を反射した光信号の受光素子１０７における照射径を受光素子１０７の受光径より小さくなり、受光素子１０７への光結合効率及び受光素子１０７の高周波特性が確保される。
【００５３】
このように、本発明の実施の形態２においては、本発明の実施の形態１において第１の微小レンズ４０１及び第２の微小レンズ４０２を追加することにより、近接した波長間の光信号に対するアイソレーション量が高く、かつ、受光素子１０７への光結合効率及び受光素子１０７の高周波特性を向上させることができる小型で低価格の波長分割多重光モジュールを実現している。
【００５４】
なお、第１の微小レンズ４０１及び第２の微小レンズ４０２の１つは、削除してもよい。
【００５５】
（実施の形態３）
次に、本発明の実施の形態３について、図５を参照して説明する。図５は、本発明の実施の形態３に係る波長分割多重光モジュールを示す斜視図である。本発明の実施の形態３においては、本発明の実施の形態１と同じ構成要素には同じ参照符号が付され、その説明が省略される。
【００５６】
図５に示すように、本発明の実施の形態３に係る波長分割多重光モジュール５００は、基板５０１、第１の光ファイバ（光導波路）１０３、第２の光ファイバ１０４、波長分割多重フィルタ１０５、受光素子１０７及び第３の光ファイバ５０２を具備している。
【００５７】
基板５０１は、シリコンにより形成されている。基板５０１には、Ｖ溝部５０１１が形成されている。第１の光ファイバ１０３、第２の光ファイバ１０４及び第３の光ファイバ５０２は、基板５０１のＶ溝部５０１１に配設されている。
【００５８】
また、基板５０１には、溝部５０１２が形成されている。波長分割多重フィルタ１０５は、基板５０１の溝部５０１２に配設されている。受光素子１０７は、基板５０１の上に固定されている。第３の光ファイバ５０２は、波長分割多重フィルタ１０５と受光素子１０７との間に配置されている。
【００５９】
次に、本発明の実施の形態１と異なる本発明の実施の形態３の作用について、図５を参照して詳細に説明する。
【００６０】
本発明の実施の形態３は、波長分割多重フィルタ１０５を反射した光信号が第３の光ファイバ５０２を介して受光素子１０７に入射される点を除けば、本発明の実施の形態１と同じ作用を有する。本発明の実施の形態３は、本発明の実施の形態１と同じ効果を有する。
【００６１】
（実施の形態４）
次に、本発明の実施の形態４について、図６を参照して説明する。図６は、本発明の実施の形態４に係る波長分割多重光モジュールを示す斜視図である。本発明の実施の形態４においては、本発明の実施の形態３と同じ構成要素には同じ参照符号が付され、その説明が省略される。
【００６２】
図６に示すように、本発明の実施の形態４に係る波長分割多重光モジュール６００は、本発明の実施の形態３において、第１の光ファイバ１０３、第２の光ファイバ１０４及び第３の光ファイバ５０２の代わりに、第１の光導波路６０１、第２の光導波路６０２及び第３の光導波路６０３を具備している。
【００６３】
基板５０１の上には、光導波路層６０４が形成されている。光導波路層６０４は、溝部６０４１を有している。光導波路層６０４の溝部６０４１には、波長分割多重フィルタ１０５が配設されている。
【００６４】
本発明の実施の形態４に係る波長分割多重光モジュール６００の作用は、本発明の実施の形態３と同じである。本発明の実施の形態４は、本発明の実施の形態３と同じ効果を有する。
【００６５】
なお、本発明の実施の形態１〜４においては、受光素子１０７を要素とする構成について説明したが、受光素子１０７の代わりに発光素子を用いて前記発光素子からの光を波長分割多重フィルタ１０５で反射し、第１の光ファイバ１０３へ結合させる合波型の波長分割多重光モジュールとすることも可能である。
【産業上の利用可能性】
【００６６】
本発明は、光信号を分割又は多重して送受信する装置及びシステムに使用して有用である。
【図面の簡単な説明】
【００６７】
【図１】本発明の実施の形態１に係る波長分割多重光モジュールを示す断面図
【図２】本発明の実施の形態１に係る第１の光ファイバの光軸に対する前記第１の光ファイバの第１の端面の角度と受光素子の受光部における照射径との関係を説明するための図
【図３】本発明の実施の形態１に係る波長分割多重光モジュールの透過及び反射アイソレーション量を説明するための図
【図４】本発明の実施の形態２に係る波長分割多重光モジュールを示す断面図
【図５】本発明の実施の形態３に係る波長分割多重光モジュールを示す斜視図
【図６】本発明の実施の形態４に係る波長分割多重光モジュールを示す斜視図
【符号の説明】
【００６８】
１００、４００、５００、６００  波長分割多重光モジュール
１０１  第１のフェルール
１０２  第２のフェルール
１０３  第１の光ファイバ（光導波路）
１０４  第２の光ファイバ
１０５  波長分割多重フィルタ
１０６  受光素子用基板
１０７  受光素子
１０８  光学接着材
４０１  第１の微小レンズ
４０２  第２の微小レンズ
５０１  基板
５０２  第３の光ファイバ
６０１  第１の光導波路
６０２  第２の光導波路
６０３  第３の光導波路
【図１】
2005165117.tif 000003
【図２】
2005165117.tif 000004
【図３】
2005165117.tif 000005
【図４】
2005165117.tif 000006
【図５】
2005165117.tif 000007
【図６】
2005165117.tif 000008